(57)【要約】【課題】電子設備に応用可能なシャーシシステムの多節式ケーブルマネージメントデバイス、及び、それを用いたスライドレールアセンブリを提供する。【解決手段】ケーブルマネージメントデバイスはサポーティングベース３８、第一アームセット４０及び第二アームセット４２を有する。第一アームセット４０は２個のアーム５６ａ、５６ｂを有し、相対して可動する。第一アームセット４０の２個のアーム５６ａ、５６ｂのその内の一つのアームはサポーティングベース３８に可動するように取り付けられる。第二アームセット４２は２個のアーム５６ｃ、５６ｄを有し、相対して可動する。第二アームセット４２は第一アームセット４０に接続する。【選択図】図２
2018037644.tif 000002
【特許請求の範囲】
【請求項１】
ケーブルマネージメントデバイスであって、サポーティングベース、第一アームセット、及び、第二アームセットを有し、
前記第一アームセットは、相対して可動する２個のアームを有し、
前記第二アームセットは、相対して可動する２個のアームを有し、
前記第一アームセットの前記２個のアームのその内の一つのアームは、前記サポーティングベースに取り付けられ、
前記第二アームセットは、前記第一アームセットに接続することを特徴とするケーブルマネージメントデバイス。
【請求項２】
前記第一アームセットの前記２個のアームは、相互に枢接され、
前記第二アームセットの前記２個のアームは、相互に枢接され、
前記第二アームセットの前記２個のアームのその内の一つのアームの端部は、前記第一アームセットの前記２個のアームの内のもう一つのアームの端部に枢接されることを特徴とする請求項１に記載のケーブルマネージメントデバイス。
【請求項３】
前記サポーティングベースは、搭載部、及び、翼部を有し、
前記搭載部は、前記第一アームセットの２個のアームのその内の一つのアームに可動するように取り付けられ、
前記サポーティングベースは、前記翼部によりシャーシに取り付けられることを特徴とする請求項１に記載のケーブルマネージメントデバイス。
【請求項４】
前記搭載部は、少なくとも１個の凸リブを有し、前記第一アームセット、または、前記第二アームセットの少なくとも一方を支えることを特徴とする請求項３に記載のケーブルマネージメントデバイス。
【請求項５】
スライドレールアセンブリは、第一レール、第二レール、及び、ケーブルマネージメントデバイスを有し、
前記ケーブルマネージメントデバイスは、サポーティングベース、第一アームセット、及び、第二アームセットを有し、
前記第一アームセットは、相互に枢接する２個のアームを有し、前記第一アームセットの前記２個のアームのその内の一つのアームは、前記サポーティングベースに可動するように取り付けられ、
前記第二アームセットは、相互に枢接する２個のアームを有し、前記第二アームセットの前記２個のアームのその内の一つのアームは、前記第一アームセットの内のもう一つのアームに枢接され、
前記第二レールは、前記第一レールと前記サポーティングベースに相対して移動し、
前記第二アームセットと前記第一アームセットとは、前記第一レールに相対した前記第二レールが第一位置から第二位置へと移動すると、第一状態から第二状態へと連動することを特徴とするスライドレールアセンブリ。
【請求項６】
前記第二アームセットの内のもう一つのアームは、前記第一レールに相対した前記第二レールの前記第一位置から前記第二位置への移動に対応し連動することを特徴とする請求項５に記載のスライドレールアセンブリ。
【請求項７】
前記スライドレールアセンブリは、前記第一レールと前記第二レールとの間に移動するように取り付けられる第三レールをさらに有し、前記サポーティングベースは、前記第一レールに取り付けられることを特徴とする請求項５に記載のスライドレールアセンブリ。
【請求項８】
前記サポーティングベースは、搭載部、及び、翼部を有し、
前記搭載部は、前記第一アームセットの前記２個のアームのその内の一つのアームに可動するように取り付けられ、
前記サポーティングベースは、前記翼部により前記第一レールに取り付けられることを特徴とする請求項５に記載のスライドレールアセンブリ。
【請求項９】
スライドレールアセンブリは、搭載物のシャーシへの取り付けに適用され、前記シャーシは、第一柱、及び、第二柱を有し、
前記スライドレールアセンブリは、第一レール、第二レール、及び、第三レールを有し、
前記第一レールは、前記第一柱と前記第二柱とに取り付けられ、
前記第二レールは、前記第一レールに相対して移動し、前記搭載物が取り付けられ、
前記第三レールは、前記第一レールと前記第二レールとの間に移動するように取り付けられ、
ケーブルマネージメントデバイスは、サポーティングベース、第一アームセット、及び、第二アームセットを有し、
前記サポーティングベースは、前記第二レールに相対して固定され、
前記第一アームセットは、相互に枢接する２個のアームを有し、前記第一アームセットの前記２個のアームのその内の一つのアームは、前記サポーティングベースに可動するように取り付けられ、
前記第二アームセットは、相互に枢接する２個のアームを有し、前記第二アームセットの前記２個のアームのその内の一つのアームは、前記第一アームセットの内のもう一つのアームに枢接され、
前記第二アームセットと前記第一アームセットとは、前記第一レールに相対した前記第二レールが第一位置から第二位置へと移動すると、第一状態から第二状態へと連動することを特徴とするスライドレールアセンブリ。
【請求項１０】
前記サポーティングベースは、前記シャーシの第三柱と、前記第一レールとの内の一つに取り付けられ、
前記サポーティングベースは、前記第一アームセットの前記２個のアームのその内の一つのアームが可動するように取り付けられる搭載部を有することを特徴とする請求項９に記載のスライドレールアセンブリ。
【発明の詳細な説明】
【技術分野】
【０００１】
本発明は、ケーブルマネージメントデバイス、及び、それを用いたスライドレールアセンブリに関する。
【背景技術】
【０００２】
一般的に、シャーシ式システムに搭載される搭載物は、一対のスライドレールアセンブリにより、シャーシに取り付けられる。
搭載物は、サーバー、パワーサプライ等である。
搭載物は、線材或いはケーブル（ｃａｂｌｅｓ）を有する。
搭載物の線材を適切に収納するため、一種のケーブルマネージメントアセンブリ（Ｃａｂｌｅ  Ｍａｎａｇｅｍｅｎｔ  Ａｓｓｅｍｂｌｙ）或いはケーブルマネージメントアーム（Ｃａｂｌｅ  Ｍａｎａｇｅｍｅｎｔ  Ａｒｍ）であるケーブルマネージメントデバイス）が開発された。
【０００３】
特許文献１の図６に開示するコンピューターサーバーに用いられるケーブルマネージメントデバイスにおいて、スライドレールアセンブリ１４は、外レールパーツ１６、中レールパーツ１８、及び、内レールパーツ２６を有する。
ケーブルマネージメントデバイスは、堅固アーム５４、相互に接続する外アーム４８、及び、内アーム４２を有する。
外アーム４８の一端は、枢接ピン１６０により、堅固アーム５４に枢接される。
内アーム４２の一端は、スライドレールフレーム４４により、内レールパーツ２６に接続される。
なお、ケーブルマネージメントデバイス、及び、それを用いたスライドレールアセンブリに関する他の従来技術が特許文献２から４に開示されている。
【先行技術文献】
【特許文献】
【０００４】
【特許文献１】米国特許第ＵＳ６６００６６５Ｂ２号明細書
【特許文献２】米国特許第ＵＳ７５４４８１９Ｂ２号明細書
【特許文献３】米国特許第ＵＳ７４７２７９５Ｂ２号明細書
【特許文献４】米国特許第ＵＳ８３８７９３３Ｂ２号明細書
【発明の概要】
【発明が解決しようとする課題】
【０００５】
市場ニーズにより、スライドレールアセンブリの延伸長さ（或いはオープン長さ）の拡大が必要な時がある。すなわち、スライドレールアセンブリの移動レールの固定レールに相対した移動行程を長くする必要がある。このとき、特許文献１に開示された２節式のアームによるケーブルマネージメントデバイスでは、展開長さに限界がある。
【課題を解決するための手段】
【０００６】
本発明の目的は、電子設備に応用可能なシャーシシステムの多節式ケーブルマネージメントデバイス、及び、それを用いたスライドレールアセンブリを提供することにある。
【０００７】
本発明の第一の態様によるケーブルマネージメントデバイスは、サポーティングベース、第一アームセット、及び、第二アームセットを有する。
第一アームセットは、相対して可動する２個のアームを有し、第一アームセットの２個のアームのその内の一つのアームは、サポーティングベースに取り付けられる。
第二アームセットは、相対して可動する２個のアームを有する。
第二アームセットは、第一アームセットに接続する。
【０００８】
好ましくは、第二アームセットは、第一アームセットに枢接される。
【０００９】
好ましくは、第二アームセットの２個のアームのその内の一つのアームの端部は、第一アームセットの２個のアームの内のもう一つのアームの端部に枢接される。
【００１０】
好ましくは、第一アームセットの２個のアームは、相互に枢接され、第二アームセットの２個のアームは、相互に枢接される。
【００１１】
好ましくは、サポーティングベースは、搭載部、及び、翼部を有する。
搭載部は、第一アームセットの２個のアームのその内の一つのアームに可動するように取り付けられる。サポーティングベースは、翼部によりシャーシに取り付けられる。
【００１２】
好ましくは、搭載部は、少なくとも１個の凸リブを有し、第一アームセット、または、第二アームセットの少なくとも一方を支える。
【００１３】
本発明の第二の態様によるスライドレールアセンブリは、第一レール、第二レール、及び、ケーブルマネージメントデバイスを有する。
ケーブルマネージメントデバイスは、サポーティングベース、第一アームセット、及び、第二アームセットを有する。
第一アームセットは、相互に枢接する２個のアームを有する。
第一アームセットの２個のアームのその内の一つのアームは、サポーティングベースに可動するように取り付けられる。
第二アームセットは、相互に枢接する２個のアームを有する。
第二アームセットの２個のアームのその内の一つのアームは、第一アームセットの内のもう一つのアームに枢接される。
第二レールは、第一レールとサポーティングベースに相対して移動する。
第二アームセットと第一アームセットとは、第一レールに相対した第二レールが第一位置から第二位置へと移動すると、第一状態から第二状態へと連動する。
【００１４】
好ましくは、第二アームセットの内のもう一つのアームは、第一レールに相対した第二レールの第一位置から第二位置への移動に対応し連動する。
【００１５】
好ましくは、スライドレールアセンブリは、第一レールと第二レールとの間に移動するように取り付けられる第三レールをさらに有する。しかもサポーティングベースは、第一レールに取り付けられる。
【００１６】
好ましくは、サポーティングベースは、搭載部、及び、翼部を有する。
搭載部は、第一アームセットの２個のアームのその内の一つのアームに可動するように取り付けられる。サポーティングベースは、翼部により、第一レールに取り付けられる。
【００１７】
好ましくは、サポーティングベースの搭載部は、複数の凸リブを有し、第一アームセット、または、第二アームセットの少なくとも一方を支える。
【００１８】
本発明の第三の態様によるスライドレールアセンブリは、搭載物のシャーシへの取り付けに適用される。
シャーシは、第一柱、及び、第二柱を有し、スライドレールアセンブリは、第一レール、第二レール、第三レール、及び、ケーブルマネージメントデバイスを有する。
第一レールは、第一柱と第二柱とに取り付けられる。
第二レールは、第一レールに相対して移動し、搭載物が取り付けられる。
第三レールは、第一レールと第二レールとの間に移動するように取り付けられる。
ケーブルマネージメントデバイスは、サポーティングベース、第一アームセット、及び、第二アームセットを有する。
サポーティングベースは、第二レールに相対して固定される。
第一アームセットは、相互に枢接する２個のアームを有する。
第一アームセットの２個のアームのその内の一つのアームは、サポーティングベースに可動するように取り付けられる。
第二アームセットは、相互に枢接する２個のアームを有し、
第二アームセットの２個のアームのその内の一つのアームは、第一アームセットの内のもう一つのアームに枢接される。
第二アームセットと第一アームセットとは、第一レールに相対した第二レールが第一位置から第二位置へと移動すると、第一状態から第二状態へと連動する。
【００１９】
好ましくは、第二アームセットの内のもう一つのアームは、第一レールに相対した第二レールの第一位置から第二位置への移動に対応し連動する。
【００２０】
好ましくは、サポーティングベースは、シャーシの第三柱と、第一レールとの内の一つに取り付けられる。サポーティングベースは、第一アームセットの２個のアームのその内の一つのアームが可動するように取り付けられる搭載部を有する。
【００２１】
好ましくは、サポーティングベースの搭載部は、複数の凸リブを有し、第一アームセット、または、第二アームセットの少なくとも一方を支える。
【００２２】
好ましくは、第一アームセット、及び、第二アームセットの相互間には、搭載物の線材が置かれるケーブルマネージメント部材を有する。
【図面の簡単な説明】
【００２３】
【図１】一実施形態において搭載物が一対のスライドレールアセンブリによりシャーシに取り付けられる様子を示す立体模式図である。
【図２】一実施形態のケーブルマネージメントデバイス、シャーシ、搭載物、及び、スライドレールアセンブリの分解模式図である。
【図３】一実施形態のケーブルマネージメントデバイスが複数のアームを有し、相互に接続する様子を示す模式図である。
【図４】図２の複数のアームのその内の一つのアームがサポーティングベースに取り付けられる様子を示す模式図である。
【図５】一実施形態の搭載物がスライドレールアセンブリによりシャーシに取り付けられ、ケーブルマネージメントデバイスが第一状態にある様子を示す模式図である。
【図６】図５のスライドレールアセンブリの第一レールに相対した第二レールが一方向へと移動し、ケーブルマネージメントデバイスの複数のアームが第二状態を呈する様子を示す模式図である。
【図７】図６のスライドレールアセンブリの第一レールに相対した第二レールが継続して一方向へと移動し、ケーブルマネージメントデバイスの複数のアームが第二状態にある様子を示す模式図である。
【図８】本発明による別の実施形態のケーブルマネージメントデバイスのサポーティングベースをスライドレールアセンブリの第一レールに取り付ける様子を示す模式図である。
【図９】図８のケーブルマネージメントデバイスの複数のアームのその内の一つのアームをスライドレールアセンブリの第二レールに取り付ける様子を示す模式図である。
【発明を実施するための形態】
【００２４】
（一実施形態）
図１に示す通り、シャーシシステムは、搭載物２０を有し、第一スライドレールアセンブリ２２と第二スライドレールアセンブリ２３により、シャーシ２４に取り付けられる。
搭載物２０は、サーバー、パワーサプライ等を含む電子設備である。
シャーシ２４は、一対の第一柱２６ａと一対の第二柱２６ｂとを有する。
本実施形態において、シャーシ２４は、一対の第三柱２６ｃをさらに有する。
一対の第二柱２６ｂは、一対の第一柱２６ａと一対の第三柱２６ｃとの間に位置する。
各スライドレールアセンブリ２２、２３は、第一レール２８を有する。
第一レール２８の２個の部分には、第一ブラケット３０（例えば、前ブラケット）と第二ブラケット３２（例えば、後ブラケット）をそれぞれ配置し、これによりシャーシ２４の第一柱２６ａと第二柱２６ｂとにそれぞれ取り付けられる。
【００２５】
図２に示す通り、各スライドレールアセンブリ２２、２３は、第二レール３４と第三レール３６をさらに有する。
第二レール３４が第一レール２８に相対して移動し、しかも第二レール３４には、搭載物２０を取り付ける。
第三レール３６は、第一レール２８と第二レール３４との間に移動するように取り付けられ、第二レール３４の第一レール２８に相対した移動行程を延長する。
さらに、シャーシシステムは、ケーブルマネージメントデバイス３７をさらに有し、搭載物２０の後方に位置する。
具体的には、ケーブルマネージメントデバイス３７は、サポーティングベース３８、第一アームセット４０、及び、第二アームセット４２を有する。
【００２６】
本実施形態において、サポーティングベース３８は、第三柱２６ｃに取り付けられる。
具体的には、サポーティングベース３８は、搭載部４４、及び、翼部４６を有する。
ここでは、２個の翼部４６は搭載部４４の両側に位置する例とする。
搭載部４４は、第一アームセット４０、または、第二アームセット４２の少なくとも一方を支えることができる。
好ましくは、搭載部４４は、少なくとも１個の凸リブを有し、ここでは、複数の凸リブ４８を例とする。
これら凸リブ４８は、予定高度を有し、しかも相互間には間隔距離を有する。
一方、各翼部４６は、搭載部４４に相対して湾折し、しかも各翼部４６により、サポーティングベース３８は、シャーシに取り付けられる。
例えば、各翼部４６は、フィッティングパーツ５０により、第三柱２６ｃに取り付けられる。
複数の固定パーツ５２により、各翼部４６をフィッティングパーツ５０に接続し、しかも複数の取り付けパーツ５４により、フィッティングパーツ５０を第三柱２６ｃに取り付ける。
【００２７】
図２と図３に示す通り、第一アームセット４０は、第一アーム５６ａと第二アーム５６ｂなどの２個のアームを有する。
第二アームセット４２は、第三アーム５６ｃと第四アーム５６ｄなどの２個のアームを有する。
これらアーム５６ａ、５６ｂ、５６ｃ、５６ｄ相互間には、ケーブルマネージメント部材５７を有する。
ここでは、これらアーム５６ａ、５６ｂ、５６ｃ、５６ｄはすべてケーブルマネージメント部材５７を有する。
これらケーブルマネージメント部材５７は、槽或いは台体で、しかもこれらケーブルマネージメント部材５７には、搭載物２０の線材（図示なし）を置くことができる。
アームにより、ケーブルを整理する技術については、簡略化のため、説明を省く。
【００２８】
第一アームセット４０の第一アーム５６ａと第二アーム５６ｂとは相対して相互に可動する。
第二アームセット４２の第三アーム５６ｃと第四アーム５６ｄとは相対して相互に可動する。
第二アームセット４２は、第一アームセット４０に接続する。
具体的には、第二アームセット４２の第三アーム５６ｃは、第一アームセット４０の第二アーム５６ｂに接続し、これにより第三アーム５６ｃと第二アーム５６ｂとは相対して相互に可動する。
この他、第二アームセット４２の第四アーム５６ｄの長さは、第三アーム５６ｃ、第二アーム５６ｂ、または、第一アーム５６ａの少なくともどれかより大きく、これによりこれらアーム５６ａ、５６ｂ、５６ｃ、５６ｄの全体的な展開長を拡大することができる。
【００２９】
さらに、これらアーム５６ａ、５６ｂ、５６ｃ、５６ｄはすべて、位置が相対する２個の第一端部Ｅ１と第二端部Ｅ２などの２個の部位を有する。
第一アームセット４０の第一アーム５６ａは、サポーティングベース３８に可動するように取り付けられる。
例えば、第一アーム５６ａの第一端部Ｅ１は、軸パーツ５８により、サポーティングベース３８の搭載部４４に枢接される（この部分は図２と図４を参照）。
搭載部４４上のこれら凸リブ４８は、これらアーム５６ａ、５６ｂ、５６ｃ、５６ｄを支えられ、これらアーム５６ａ、５６ｂ、５６ｃ、５６ｄが、搭載物２０の線材による過度な下垂を防止する。
一方、第二アームセット４２の第四アーム５６ｄの第一端部Ｅ１は搭載物２０に取り付けられる。
例えば、第四アーム５６ｄの第一端部Ｅ１には、追加パーツ６０を枢接し、しかも第四アーム５６ｄの第一端部Ｅ１は、追加パーツ６０により、搭載物２０の後方に取り付けられる。
【００３０】
図３に示す通り、これらアーム５６ａ、５６ｂ、５６ｃ、５６ｄは、第一枢接パーツ６２、第二枢接パーツ６４、及び、第三枢接パーツ６６により、順番に相対して相互に枢接される。
具体的には、第一アームセット４０の第一アーム５６ａと第二アーム５６ｂの第二端部Ｅ２は、第一枢接パーツ６２により、相対して相互に枢接される。
例えば、第一アーム５６ａと第二アーム５６ｂとの間には、第一補助台６８を配置し、２個の第一枢接パーツ６２を枢接する。
第一アームセット４０の第二アーム５６ｂの第一端部Ｅ１と第二アームセット４２の第三アーム５６ｃの第一端部Ｅ１とは、第二枢接パーツ６４により、相対して相互に枢接される。
例えば、第二アーム５６ｂと第三アーム５６ｃとの間には、第二補助台７０を配置し、２個の第二枢接パーツ６４を枢接する。
第二アームセット４２の第三アーム５６ｃの第二端部Ｅ２と第二アームセット４２の第四アーム５６ｄの第二端部Ｅ２とは、第三枢接パーツ６６により、相対して相互に枢接される。
例えば、第三アーム５６ｃと第四アーム５６ｄとの間には、第三補助台７２を配置し、２個の第三枢接パーツ６６を枢接する。
こうして、これらアーム５６ａ、５６ｂ、５６ｃ、５６ｄは相対して相互に可動する。
本実施形態において、アーム５６ａ、５６ｂ、５６ｃ、５６ｄは、補助台６８、７０、７２により、相対して相互に枢接される。しかし、アーム５６ａ、５６ｂ、５６ｃ、５６ｄは、枢接パーツにより直接、相対して相互に枢接することもできるので、補助台６８、７０、７２は必須ではない。
【００３１】
図５に示す通り、各スライドレールアセンブリ２２、２３は、取込み状態にある。
各スライドレールアセンブリ２２、２３の第一レール２８は、前述のブラケットを通して、シャーシ２４の第一柱２６ａと第二柱２６ｂとに取り付けられ、しかもサポーティングベース３８は、第三柱２６ｃに取り付けられる。
一方、ケーブルマネージメントデバイス３７の第一アーム５６ａの第一端部Ｅ１は、可動するように接続される。
例えば、サポーティングベース３８に枢接され、しかもケーブルマネージメントデバイス３７の第四アーム５６ｄの第一端部Ｅ１は、搭載物２０に取り付けられる。
さらに、各スライドレールアセンブリ２２、２３が、取込み状態にあると、第二レール３４と第三レール３６とは、第一レール２８に相対して取込まれ第一位置Ｐ１に位置し、しかも搭載物２０の大部分はシャーシ２４内に位置する。
一方、ケーブルマネージメントデバイス３７の第一アームセット４０と第二アームセット４２とが第一状態にあると、例えば、ケーブルマネージメントデバイス３７のこれらアーム５６ａ、５６ｂ、５６ｃ、５６ｄは、相互に近接した状態を呈する。
【００３２】
図５と図６とに示す通り、第二レール３４が第一レール２８に相対して第一位置Ｐ１から、延伸方向などの第一方向Ｄ１へ向かい移動すると、搭載物２０はこれに従い第一方向Ｄ１へとシャーシ２４外へ移動する。
具体的には、第二レール３４が第一方向Ｄ１へと移動する過程において、第二アームセット４２の第四アーム５６ｄは、第二レール３４の第一レール２８に相対した第一位置Ｐ１から第一方向Ｄ１への移動に反応して連動される。
これにより、第四アーム５６ｄは第三アーム５６ｃを連動し、第四アーム５６ｄと第三アーム５６ｃは徐々に相対して、展開状態などの第二状態を呈する。
第一レール２８は第一柱２６ａと第二柱２６ｂに取り付けられ、しかもサポーティングベース３８は、第三柱２６ｃに取り付けられるため、第一レール２８とサポーティングベース３８とは、第二レール３４に相対して固定される。
言い換えれば、第二レール３４は、第一レール２８、または、サポーティングベース３８の少なくとも一方に相対して移動する。
【００３３】
図６と図７に示す通り、第二レール３４、または、第三レール３６の少なくとも一方が第一レール２８に相対して継続して、第一方向Ｄ１へと第二位置Ｐ２まで移動し、各スライドレールアセンブリ２２、２３は、完全延伸状態にある時、搭載物２０はこれに従い第一方向Ｄ１へとシャーシ２４外へ移動する。
第二アームセット４２の第四アーム５６ｄはさらに第三アーム５６ｃを連動し、これにより第三アーム５６ｃは第一アームセット４０の第二アーム５６ｂと第一アーム５６ａを連動する。
こうして、第二アームセット４２と第一アームセット４０とは、サポーティングベース３８に相対して、完全展開状態などの第二状態を呈する。
【００３４】
第二レール３４、または、第三レール３６の少なくとも一方が第一レール２８に相対して第二位置Ｐ２から、取込み方向（第一方向Ｄ１に反対の方向）である第二方向へと向かうと、第一位置Ｐ１へと移動する。このとき、第二アームセット４２と第一アームセット４０もこれに従い、第二状態から第一状態に戻る（この部分は図５を参照。簡略化するため、説明を省く）。
【００３５】
図８に、本発明の別の実施形態を示す。
具体的には、上述の実施形態のサポーティングベース３８は第三柱２６ｃに取り付けられるが、本実施形態のサポーティングベース２００は、第一スライドレールアセンブリ２０２（或いは第二スライドレールアセンブリ２０４の第一レール２０６）に取り付けられる。
例えば、サポーティングベース２００は、翼部２０７により螺合接続、溶接、係合接続或いは嵌合接続等方式を用いて第一レール２０６に取り付けられる。
こうして、同様にサポーティングベース２００は、第二レール２０８に相対して固定の状態を呈する。
図９に示す通り、第二アームセット２０９の第四アーム２１０の第一端部Ｅ１は、第二レール２０８に取り付けられる。
ここでは、第四アーム２１０の第一端部Ｅ１は追加パーツ２１２により、第二レール２０８に取り付けられる。
この配置に基づき、第四アーム２１０は、同様に、第二レール２０８の第一レール２０６に相対した移動に反応して連動される。
【００３６】
前述した本発明の実施形態は本発明を限定するものではなく、よって、本発明により保護される範囲は特許請求の範囲を基準とする。
【符号の説明】
【００３７】
２０  搭載物
２２、２０２  第一スライドレールアセンブリ
２３、２０４  第二スライドレールアセンブリ
２４  シャーシ
２６ａ  第一柱
２６ｂ  第二柱
２６ｃ  第三柱
２８、２０６  第一レール
３０  第一ブラケット
３２  第二ブラケット
３４、２０８  第二レール
３６  第三レール
３７  ケーブルマネージメントデバイス
３８、２００  サポーティングベース
４０  第一アームセット
４２、２０９  第二アームセット
４４  搭載部
４６、２０７  翼部
４８  凸リブ
５０  フィッティングパーツ
５２  固定パーツ
５４  取り付けパーツ
５６ａ  第一アーム
５６ｂ  第二アーム
５６ｃ  第三アーム
５６ｄ、２１０  第四アーム
５７  ケーブルマネージメント部材
５８  軸パーツ
６０、２１２  追加パーツ
６２  第一枢接パーツ
６４  第二枢接パーツ
６６  第三枢接パーツ
６８  第一補助台
７０  第二補助台
７２  第三補助台
Ｄ１  第一方向
Ｐ１  第一位置
Ｐ２  第二位置
【図１】
2018037644.tif 000003
【図２】
2018037644.tif 000004
【図３】
2018037644.tif 000005
【図４】
2018037644.tif 000006
【図５】
2018037644.tif 000007
【図６】
2018037644.tif 000008
【図７】
2018037644.tif 000009
【図８】
2018037644.tif 000010
【図９】
2018037644.tif 000011